(57)【要約】【課題】省電力制御から記録制御に移行した場合、省電力制御中にジャム処理が行われた場合を想定し、内部機構のメカニカルな位置の初期化を行っている。しかし、殆どの場合、省電力制御中にジャム処理を行うことはない為、通常記録制御に移行した場合に行っているメカニカルな位置の初期化動作は本来ならば不必要な処理であり、記録制御開始までの時間が長くなっている。【課題を解決する為の手段】省電力制御中に、記録装置の内部機器を監視し、省電力制御中の形跡（装置状態）に応じて、記録制御に移行した際、複数の初期化動作の中から、できるだけ簡易で短時間の初期化動作を選択することによって、通常の初期化動作を常に行なう場合に比較し、記録処理開始までの平均的な時間を短縮できる。【選択図】    図１
2004345307.tif 000002
【特許請求の範囲】
【請求項１】
記録媒体に画像を記録する記録ヘッドと、省電力動作モードを備える記録装置において、
複数種類の初期化動作と、前記省電力動作モード時、内部状態を監視する監視手段と、
前記監視手段の結果に応じて、
前記省電力モードから復帰した時に行なう動作を、前記複数の初期化動作から選択する選択手段を有することを特徴とする、記録装置。
【請求項２】
前記監視手段による監視項目は記録装置のカバー開閉の有無を含むことを特徴とする請求項１に記載の記録装置。
【請求項３】
前記複数種類の初期化動作の内少なくとも１つは、前記記録ヘッドの物理的な位置の初期化を伴うことを特徴とする、
請求項１から２に記載の記録装置。
【請求項４】
前記複数種類の初期化動作の内少なくとも１つは、前記記録ヘッドのクリーニング動作を伴うことを特徴とする、
請求項１から３に記載の記録装置。
【発明の詳細な説明】
【０００１】
【産業上の利用分野】
本発明は、記録装置、詳しくは非記録状態の場合に省電力モードを有する記録装置に関するものである。
【０００２】
【従来の技術】
従来の方法では例えばプリンタの電源ＯＦＦ指示スイッチが押されたのかによって、省電力状態から復帰したときにおＯＦＦ指示スイッチが押されていた場合のみ、プリンタの初期化動作する方法を採用しているものもある。
（例えば、特許文献１）
【特許文献１】
特許ＮＯ．  ３２２７１８８（第５〜６頁、図１７）
【０００３】
【発明が解決しようとしている課題】
しかしながら、上記のような方式で省電力モード〜初期化動作を行った場合、次のような課題が残る。
記録装置には、用紙の搬送不良などが起こった場合に搬送不良を起こした記録用紙を取り除く為の機構があり、いわゆるジャム処理が可能となっている。
【０００４】
これらの操作をユーザが省電力制御中に行った場合、記録ヘッド等内部機構のメカニカルな位置が変更されることがあり、再度記録を行う前にメカニカルな位置の初期化が必要となる。
【０００５】
このため、省電力制御から記録制御に移行した場合、省電力制御中にジャム処理が行われた場合を想定し、内部機構のメカニカルな位置の初期化を行っている。
【０００６】
とりわけ上記従来例とは異なり、比較的高速に記録するラインプリンタ等では滞留した用紙を取り除いた場合と、そうでない場合の装置初期条件の違いは大きい。
【０００７】
しかし、殆どの場合、省電力制御中にジャム処理を行なうことは少ないので、通常記録制御に移行した場合に行っているメカニカルな位置の初期化動作は本来ならば不必要な処理であり、記録制御開始までの時間が長くなっている。
また、ジャム処理を行うと、ユーザーが記録ヘッド付近にふれることから、記録ヘッドにダメージを与えかねない。そこで、省電力制御から記録制御に移行した際、記録装置がインクジェットプリンタであれば、記録ヘッドのクリーニングをするような記録装置もあり、この場合、記録制御開始までの時間がさらに長くなり、クリーニングによりインクも消費されてしまう。
【０００８】
【課題を解決する為の手段】
本発明は、省電力制御により消費電力を抑える制御を行う省電力制御手段と、記録媒体に記録を行う記録制御手段とを備える記録装置において、複数種類の初期化動作を行う初期化手段と、記録装置の内部機器の状態を監視する監視手段と、省電力制御手段による制御中の監視手段の結果に応じて、省電力制御手段から記録制御手段に移行した際に行う初期化動作を、複数種類の初期化動作から選択する初期化選択手段を有することを特徴とする。
【０００９】
【作用】
本発明は、省電力制御により消費電力を抑える省電力制御を備えた記録装置において、省電力制御中に、記録装置の内部機器を監視し、メカニカルな位置の初期化や記録ヘッドのクリーニングが必要と判断した場合のみ、省電力制御から記録制御に移行した際にメカニカルな位置の初期化及び記録ヘッドのクリーニングを行うことで、通常初期化及びクリーニングが必要ない場合に記録処理開始までの時間を短縮することができる。
【００１０】
【実施例】
以下、図面を参照して本発明の記録装置に係わる実施例について詳細に説明する。
（第１の実施例）
図１は、本実施例における記録装置にホストコンピュータを接続した構成図を示す。
【００１１】
記録装置（１００）と、ホストコンピュータ（１０１）が設置されており、プリンタケーブル（１０２）で接続されている。記録装置（１００）の給紙部である給送部（１０３）に記録媒体がセットされている。記録媒体として、シート状のカット紙やプラスチックカードが存在し、複数種類の記録媒体を記録することが可能である。記録装置にはジャム処理、インクカートリッジ交換、メンテナンス時などに開くフロントドア（１０４）およびＰＨＳ（Ｐｒｉｎｔ  Ｈｅａｄ  Ｓｔａｔｉｏｎ）ドア（１０５）がある。
【００１２】
図２は本実施例における記録装置による印刷処理を説明する為の模式図である。
【００１３】
記録装置（１００）は、記録媒体（２０１）を給送部（１０３）により給送すると、搬送部（２０２）により記録媒体（２０１）を搬送し、フォトインタラプタであるセンサ（２０３）にて検出した記録媒体（２０１）に対し、印刷部（２０４）において、画像形成信号に応じてイエロー、シアン、マゼンタ、ブラックのインクを、ヘッドユニットに固定されている各色記録ヘッド（２０５Ｋ〜２０５Ｙ）より吐出させ、記録媒体表面に吹き付けることで画像を形成する。
【００１４】
尚符号の内Ｋ：Ｂｌａｃｋ（黒），  Ｃ：Ｃｙａｎ（シアン），  Ｍ：Ｍａｇｅｎｔａ（マジェンタ），  Ｙ：Ｙｅｌｌｏｗ（イエロー）の各記録色を示す。
【００１５】
その後フォトインタラプタであるセンサ（２０６）により記録媒体（２０１）が正常に排紙されたことを確認し、印刷を終了する。
【００１６】
図３は本実施例における記録装置のフロントドア及びＰＨＳドアを開いた状態を説明する為の模式図である（ＰＨＳ：Ｐｒｉｎｔ  Ｈｅａｄ  Ｓｔａｔｉｏｎ）。
【００１７】
フロントドア（１０４）は、記録装置手前側に開くことができ、ユーザはフロントドア（１０４）を開いた状態で各色のインクカートリッジ（３０１）を独立に交換可能である。
【００１８】
フロントドア（１０４）の開閉状態はフォトインタラプタであるフロントドアセンサ（不図示）にて記録制御中、省電力制御中に関係なく検知される。
【００１９】
記録装置上方のＰＨＳ（Ｐｒｉｎｔ  Ｈｅａｄ  Ｓｔａｔｉｏｎ）ドア（１０５）は、フロントドア（１０４）が開いた状態でのみ開くことができる。
【００２０】
ＰＨＳドア（１０５）を開いた状態では記録媒体の搬送部（２０２）があらわになり、ユーザにて記録媒体のジャム処理や搬送部（２０２）の清掃をすることが可能である。
【００２１】
ＰＨＳドア（１０５）の開閉状態はマイクロスイッチであるＰＨＳドアセンサ（不図示）にて記録制御中のみ検知される。
【００２２】
図４はこの本実施例における記録装置（１００）の制御装置（４００）と各部との接続状態を示すブロック図である。
【００２３】
制御装置内のＣＰＵ（４０１）はホストコンピュ−タ（４０２）からホストインタフェース（４０３）を介して記録画像を受信し、イメ−ジメモリ（４０４）に一時的に展開、記憶させる。予め決められたサイズの記録画像の展開が完了するとＣＰＵ（４０１）は入出力ポ−ト（４０５）を介して搬送部（４０６）、給送部（４０７）、印刷部（４０８）の各々が持つ駆動モ−タ等のアクチュエ−タ（図示せず）を駆動し、記録動作をスタ−トさせる。
【００２４】
記録媒体の搬送状態を検出するセンサからの入力信号にて記録媒体を検知した後、記録媒体が各記録ヘッドの下に搬送されたタイミングで、ＣＰＵ（４０１）はイメ−ジメモリ（４０４）の読み出しを開始しヘッド駆動回路（４０９）を介し各記録ヘッド（４１０Ｋ〜４１０Ｙ）に順次記録画像を転送し、記録媒体にカラ−記録する。
これら一連の動作はプログラムＲＯＭ（４１１）に記憶され、後述（図６）フローに対応するプログラムに基づきＣＰＵ（４０１）が実行する。ＣＰＵ（４０１）は又実行の際に必要とする作業用メモリとしてワ−クＲＡＭ（４１２）を利用する。
【００２５】
制御装置（４００）にはこの他に種々の指令やデータなどの入力やエラーの表示を行うオペレーションパネル（４１３）、ＥＥＰＲＯＭ（記憶手段）（４１４）、給送部及び搬送部にて記録媒体の搬送状態を検出するセンサ類（４１５）が接続されている。
【００２６】
センサ類（４１５）の中には、フロントドアセンサ（４１６）やＰＨＳドアセンサ（４１７）があり、フロントドアとＰＨＳドアの開閉状態を検知する。
【００２７】
ホストコンピュータ（４０２）からの記録画像が一定時間経過しても受信されない場合や、オペレーションパネル（４１３）にてＰｏｗｅｒキーが押下された場合には、制御装置（４００）は省電力制御に移行する。
【００２８】
省電力制御中は、各記録ヘッド（４１０Ｋ〜４１０Ｙ）や各駆動モータ及びフロントドアセンサ（４１６）以外のセンサ（４１８）への電源供給を停止し、消費電力を抑える。
【００２９】
電源供給の停止は出力ポート（４０５）を介して不図示のスイッチ回路にて行なう。
【００３０】
図５は本実施例における省電力制御から記録制御に移行する際の初期化処理を示すフローチャートである。
【００３１】
省電力制御中はフロントドアが開かれたか監視し（Ｓ５０１）、ドアが開かれたなら（Ｓ５０１−Ｙｅｓ）、省電力制御中にフロントドアが開かれたことを示すフラグを設定しておく（Ｓ５０２）。
【００３２】
省電力制御中、フロントドア１０４が開かれる場合、例えばユーザが用紙のジャム処理を行なうこと等が考えられる。
【００３３】
ホストコンピュータより記録画像を受信したか（Ｓ５０３）、またはオペレーションパネル上のＰｏｗｅｒキーが押下されたか（Ｓ５０４）を検知するまでフロントドアの監視処理（Ｓ５０１）に移行し省電力制御を継続する。
【００３４】
記録画像の受信（Ｓ５０３−Ｙｅｓ）、またはオペレーションパネル上のＰｏｗｅｒキーが押下された（Ｓ５０４−Ｙｅｓ）場合、記録制御に移行する為の初期化処理を開始する。
【００３５】
まず、記録ヘッド、駆動モータ、各種センサ等、記録動作に必要な部分に電源を供給し（Ｓ５０５）、省電力制御中にフロントドアが開かれたことを示すフラグを確認（Ｓ５０６）する。フロントドアが開かれた形跡がなければ（Ｓ５０６−Ｎｏ）、メカニカルな初期化が必要ないと判断し、そのまま記録制御を開始する。
【００３６】
フロントドアが開かれた形跡があったなら（Ｓ５０６−Ｙｅｓ）、省電力制御中に記録ヘッドの位置が変更された可能性がある為、記録ヘッドのメカニカルな位置を初期化し（Ｓ５０７）、フラグをクリアして（Ｓ５０８）、記録制御を開始する。
【００３７】
（第２の実施例）
第２実施例の記録装置のように、省電力制御中のフロントドアの状態により、省電力制御から記録制御に移行する際に記録ヘッドのクリーニングを含めた初期化処理を行うものでも良い。
【００３８】
図６は本実施例における省電力制御から記録制御に移行する際の初期化処理を示すフローチャートである。
【００３９】
省電力制御中はフロントドアが開かれたか監視し（Ｓ６０１）、ドアが開かれたなら（Ｓ６０１−Ｙｅｓ）、省電力制御中にフロントドアが開かれたことを示すフラグを設定しておく（Ｓ６０２）。
【００４０】
ホストコンピュータより記録画像を受信したか（Ｓ６０３）、またはオペレーションパネル上のＰｏｗｅｒキーが押下されたか（Ｓ６０４）を検知するまでフロントドアの監視処理（Ｓ６０１）に移行し省電力制御を継続する。
【００４１】
記録画像の受信（Ｓ６０３−Ｙｅｓ）、またはオペレーションパネル上のＰｏｗｅｒキーを押下された（Ｓ６０４−Ｙｅｓ）場合、記録制御に移行する為の初期化処理を開始する。
【００４２】
まず、記録ヘッド、駆動モータ、各種センサ等、記録動作に必要な部分に電源を供給し（Ｓ６０５）、省電力制御中にフロントドアが開かれたことを示すフラグを確認（Ｓ６０６）する。フロントドアが開かれた形跡がなければ（Ｓ６０６−Ｎｏ）、メカニカルな初期化が必要ないと判断し、そのまま記録制御を開始する。
【００４３】
フロントドアが開かれた形跡があったなら（Ｓ６０６−Ｙｅｓ）、省電力制御中に記録ヘッドの位置が変更された可能性がある為、記録ヘッドのメカニカルな位置を初期化（Ｓ６０７）し、記録ヘッドのクリーニング動作を実行し（Ｓ６０８）、そしてフラグをクリアした後（Ｓ６０９）、記録制御を開始する。
【００４４】
以上説明したように、本発明の記録装置によれば、省電力制御中に、記録装置の内部機器を監視し、省電力制御中の形跡（装置状態）に応じて、記録制御に移行した際、できるだけ簡易で、短時間の初期化動作を選択することによって、通常の初期化動作を常に行なう場合に比較し、記録処理開始までの平均的な時間を短縮できる。
【００４５】
前記実施例では、使用する記録媒体としてカット紙またはプラスチックカードとして例を挙げたが、記録媒体は台紙にラベル片が仮着された連続ラベル紙や長尺状の用紙に一定間隔でマークが付加してあるタグ紙であってもよい。
【００４６】
また、記録装置の記録方式はインクジェット方式に限定されるものではない（熱転写方式、キャリッジを利用するシリアルスキャン方式等）。
【００４７】
【発明の効果】
以上説明したように、省電力制御により消費電力を抑える制御を行なう省電力制御手段と、記録媒体に記録を行なう記録制御手段とを備える記録装置において、複数種類の初期化動作をもつ初期化手段と、記録装置の内部機器の状態を監視する監視手段と、省電力制御手段による制御中の監視手段の結果に応じて、記録制御に移行した際に初期化動作を選択することにより、通常の初期化動作を常に行なう場合に比較し、記録処理開始までの平均的な時間を短縮できる。
【００４８】
【図面の簡単な説明】
【図１】記録装置にホストコンピュータを接続した構成図である。
【図２】記録装置による印刷処理を説明する為の模式図である。
【図３】記録装置のフロントドア及びＰＨＳドアを開いた状態を説明する模式図である。
【図４】制御装置と各部との接続状態を示すブロック図である。
【図５】第一の実施例における省電力制御から記録制御に移行する際の初期化処理を示すフローチャートである。
【図６】第二の実施例における省電力制御から記録制御に移行する際の初期化処理を示すフローチャートである。
【符号の説明】
１００    記録装置
１０１    ホストコンピュータ
１０２    プリンタケーブル
１０３    給送部
１０４    フロントドア
１０５    ＰＨＳ（Ｐｒｉｎｔ  Ｈｅａｄ  Ｓｔａｔｉｏｎ）ドア
２０１    記録媒体
２０２    搬送部
２０３    センサ
２０４    印刷部
２０５    記録ヘッド
２０６    センサ
４００    制御装置
４０１    ＣＰＵ
４０２    ホストコンピュータ
４０３    ホストインタフェース
４０４    イメージメモリ
４０９    ヘッド駆動回路
４１０    記録ヘッド
４１１    プログラムＲＯＭ
４１２    ワークＲＡＭ
４１３    オペレーションパネル
４１４    ＥＥＰＲＯＭ
４１５    センサ類
４１６    フロントドアセンサ
４１７    ＰＨＳドアセンサ
【図１】
2004345307.tif 000003
【図２】
2004345307.tif 000004
【図３】
2004345307.tif 000005
【図４】
2004345307.tif 000006
【図５】
2004345307.tif 000007
【図６】
2004345307.tif 000008